【事件の表示】
　特許第６５７３７５０号発明「制御データ作成装置、制御データ作成方法、および制御データ作成プログラム」の特許異議申立事件について、次のとおり決定する。
【結　論】
　特許第６５７３７５０号の請求項に係る特許を維持する。
【理　由】
１　手続の経緯
　特許第６５７３７５０号の請求項１−９に係る特許についての出願は、平成３１年２月７日を国際出願日とし、令和１年８月２３日にその特許権の設定登録がされ、令和１年９月１１日に特許掲載公報が発行された。その後、その特許に対し、令和２年３月９日に特許異議申立人　藤江　桂子（以下「異議申立人」という。）により特許異議の申立てがされた。
２　本件発明
　特許第６５７３７５０号の請求項１−９の特許に係る発明は、それぞれ、その特許請求の範囲の請求項１−９に記載された事項により特定される次のとおりのものである。
「【請求項１】
　駆動装置によって駆動される被駆動装置を回転軸である主軸の周期的な動作に対応する位置に位置決め制御するための制御指令を作成する制御データ作成装置であって、
　前記主軸の１回転中における特定の回転角度または特定の回転位置と前記被駆動装置の位置との対応関係が指定された回転情報、および前記主軸の１回転中における特定の経過時間と前記被駆動装置の位置との対応関係が指定された時間情報の少なくとも一方を受付ける入力部と、
　前記回転情報または前記時間情報に基づいて前記制御指令を算出する演算部と、
　前記演算部が算出した前記制御指令を表示装置に表示させる表示制御部と、
を備え、
　前記表示装置が前記回転情報を表示している場合に前記入力部が前記時間情報を表示する指示を受付けると、前記演算部が前記回転情報を前記時間情報に変換するとともに前記表示制御部が変換後の前記時間情報を前記表示装置に表示させ、
　前記表示装置が前記時間情報を表示している場合に前記入力部が前記回転情報を表示する指示を受付けると、前記演算部が前記時間情報を前記回転情報に変換するとともに前記表示制御部が変換後の前記回転情報を前記表示装置に表示させる、
　ことを特徴とする制御データ作成装置。
【請求項２】
　前記演算部は、前記主軸の１回転中における特定の回転角度または特定の回転位置を横軸とし前記被駆動装置の位置を縦軸とした前記制御指令の波形を作成し、
　前記表示制御部は、前記制御指令の波形を前記表示装置に表示させる、
　ことを特徴とする請求項１に記載の制御データ作成装置。
【請求項３】
　前記入力部が、前記横軸に前記主軸の１回転中における経過時間を表示する指示を受付けると、前記表示制御部は、前記主軸の１回転中における経過時間が設定された前記横軸を前記表示装置に表示させる、
　ことを特徴とする請求項２に記載の制御データ作成装置。
【請求項４】
　前記表示制御部は、前記横軸の目盛に、前記主軸の１回転中における特定の回転角度または特定の回転位置と、前記主軸の１回転中における経過時間と、を２段に並べて表示させる、
　ことを特徴とする請求項３に記載の制御データ作成装置。
【請求項５】
　前記主軸の１回転分は、複数の区間に分けられており、
　前記演算部は、前記区間毎に前記制御指令を作成し、前記回転情報を前記時間情報に変換する場合には、前記区間毎に前記回転情報を前記時間情報に変換し、前記時間情報を前記回転情報に変換する場合には、前記区間毎に前記時間情報を前記回転情報に変換する、
　ことを特徴とする請求項１から４のいずれか１つに記載の制御データ作成装置。
【請求項６】
　前記表示装置が前記時間情報を表示している場合に、ユーザからの指示に従って前記制御指令の波形上のポイントが移動させられると、前記演算部は、移動後のポイントの位置に対応する時間情報を算出するとともに、前記制御指令の波形を移動後のポイントを通過する波形に修正し、前記表示制御部は、修正された波形および算出された時間情報を前記表示装置に表示させ、
　前記表示装置が前記回転情報を表示している場合に、ユーザからの指示に従って前記制御指令の波形上のポイントが移動させられると、前記演算部は、移動後のポイントの位置に対応する回転情報を算出するとともに、前記制御指令の波形を移動後のポイントを通過する波形に修正し、前記表示制御部は、修正された波形および算出された回転情報を前記表示装置に表示させる、
　ことを特徴とする請求項１から５のいずれか１つに記載の制御データ作成装置。
【請求項７】
　前記入力部が、速度、加速度、または加加速度の表示指示を受付けると、
　前記演算部は、前記表示指示で指定された前記速度、前記加速度、または前記加加速度の波形を、前記制御指令に基づいて算出し、
前記表示制御部は、前記制御指令の波形と、前記演算部が算出した前記速度、前記加速度、または前記加加速度の波形とを、１つのプロットエリアに並べて表示させる、
　ことを特徴とする請求項１から６のいずれか１つに記載の制御データ作成装置。
【請求項８】
　駆動装置によって駆動される被駆動装置を回転軸である主軸の周期的な動作に対応する位置に位置決め制御するための制御指令を作成する制御データ作成方法であって、
　前記主軸の１回転中における特定の回転角度または特定の回転位置と前記被駆動装置の位置との対応関係が指定された回転情報、および前記主軸の１回転中における特定の経過時間と前記被駆動装置の位置との対応関係が指定された時間情報の少なくとも一方を受付ける入力ステップと、
　前記回転情報または前記時間情報に基づいて前記制御指令を算出する演算ステップと、
　前記演算ステップで算出された前記制御指令を表示装置に表示させる表示ステップと、
　を含み、
　前記表示装置が前記回転情報を表示している場合に前記時間情報を表示する指示を受付けると、前記回転情報を前記時間情報に変換するとともに変換後の前記時間情報を前記表示装置に表示させ、
　前記表示装置が前記時間情報を表示している場合に前記回転情報を表示する指示を受付けると、前記時間情報を前記回転情報に変換するとともに変換後の前記回転情報を前記表示装置に表示させる、
　ことを特徴とする制御データ作成方法。
【請求項９】
　駆動装置によって駆動される被駆動装置を回転軸である主軸の周期的な動作に対応する位置に位置決め制御するための制御指令を作成する制御データ作成プログラムであって、
　前記主軸の１回転中における特定の回転角度または特定の回転位置と前記被駆動装置の位置との対応関係が指定された回転情報、および前記主軸の１回転中における特定の経過時間と前記被駆動装置の位置との対応関係が指定された時間情報の少なくとも一方を受付ける入力ステップと、
　前記回転情報または前記時間情報に基づいて前記制御指令を算出する演算ステップと、
　前記演算ステップで算出された前記制御指令を表示装置に表示させる表示ステップと、
　をコンピュータに実行させ、
　前記表示装置が前記回転情報を表示している場合に前記時間情報を表示する指示を受付けると、前記回転情報を前記時間情報に変換するとともに変換後の前記時間情報を前記表示装置に表示させ、
　前記表示装置が前記時間情報を表示している場合に前記回転情報を表示する指示を受付けると、前記時間情報を前記回転情報に変換するとともに変換後の前記回転情報を前記表示装置に表示させる、
　ことを特徴とする制御データ作成プログラム。」
３　申立理由の概要及び証拠
（１）申立理由の概要
　異議申立人は、証拠として甲第１号証及び甲第２号証（以下、「甲１」及び「甲２」という。）を提出し、請求項１−９に係る特許は特許法第２９条第２項の規定に違反してされたものであるから、請求項１−９に係る特許を取り消すべきものである旨主張する。
（２）証拠
　異議申立人が提出した証拠は、以下のとおりである。
　甲１：特許第４９８７２１４号公報
　甲２：特開２０１８−１９５００２号公報
４　甲１、甲２の記載事項及び甲１発明
（１）甲１の記載事項
　甲１には、図１〜１６Ｂともに次の記載がある。なお、下線は当審で付したものである（甲２の下線についても同様）。
（ア）「図２Ａは、カム基準データの形態で用意した移動位置データの一例を表示する変位線図（カム線図）である。また図２Ｂは、時間基準データの形態で用意した移動位置データの一例を表示する変位線図である。この例では、一連の加工プログラムの大部分が、カム１回転（Ｑ０〜ＱＥ）に渡るカム基準データに基づいて実行され、特定のプログラムのみが所定時間（Ｔ０〜Ｔ１）に渡る時間基準データに基づいて実行される。
そこで、ステップＳ３では、
これら２つの移動位置データの時系列的配置を、いずれか一方の変位線図上で指定することができる。図示の例では、図２Ａのカム基準データを表示する変位線図上で、図２Ｂの変位線図に表示する時間基準データを割り込ませる場所を指定する。
したがってこの加工シーケンス例では、最初にカム基準データに従って、カム回転量がＱ０からＱ１に至るまで、カム基準工程として主軸と刃物台との相対的送り動作が制御され、カム回転量がＱ１に達した時点でカム基準工程が一端停止する。次に、時間基準データに従って、Ｔ０からＴ１までの時間に渡り、時間基準工程として主軸と刃物台との相対的送り動作が制御され、Ｔ１で時間基準工程が完了した後、再びカム回転量Ｑ１から、カム基準データに従ってカム基準工程が実施される。このようにして、１加工サイクルが完了する。
なお、上記加工シーケンス例で、カム基準データに基づいて動作制御される制御軸と、時間基準データに基づいて動作制御される制御軸とが、互いに異なるものである場合は、図３Ｂに示すように、時間基準データを表示する変位線図は、カム基準データの変位線図上での割込み場所における移動位置Ｐ１とは無関係に配置できる。これに対し、
カム基準データへの時間基準データの割込みが同一の制御軸に関して行われる場合は、図３Ｃに示すように、時間基準データを表示する変位線図は、カム基準データの変位線図上での割込み場所における移動位置Ｐ１に連続するように配置される。
（イ）「上記した加工シーケンス例に沿って説明したように、一連の加工プログラムにおける複数の移動位置データの時系列的配置の指定を変位線図上で行う際には、例えば自動旋盤の制御装置に関連して装備された表示画面に所要の変位線図を表示させることが有利である。この場合、
図５Ａに示すように、カム基準データの変位曲線を表示する画面上で、時間基準データを割り込ませる場所を、矢印等の画面表示により指示することができる。
図５Ｂに示すように、時間基準データの変位曲線を表示する画面上で、カム基準データを割り込ませる場所を、矢印等の画面表示により指示することができる。
なお、
上記した変位線図の作成作業は、自動旋盤に予め設置される制御装置で行うこともできる
（ウ）「次に、本発明に係る自動旋盤制御方法を遂行可能な、本発明の一実施形態による自動旋盤１０（図６参照）及び自動旋盤１０に組み込まれる制御装置１２（図７参照）の構成を説明する。自動旋盤１０は、共通の旋盤機台１４上に２個の主軸１６、１８及び２個の刃物台２０、２２を集約的に搭載し、バイト、ドリル等の旋削工具２４やフライス等の回転工具２６を含む種々の工具により、同一被加工素材に対する異種（例えば外径削りと中ぐり）同時加工や、異なる被加工素材に対する同時加工を実施できるようにした多機能構造を有するものである。
図６に示すように、
自動旋盤１０は、旋盤機台１４と、旋盤機台１４上に設置され、回転軸線１６ａを有する第１主軸１６と、旋盤機台１４上に設置され、複数の工具２４、２６を並列に保持できる第１刃物台２０
旋盤機台１４上での第１及び第２主軸１６、１８並びに第１及び第２刃物台２０、２２の動作を制御する制御装置１２
（エ）「第１刃物台２０は、旋盤機台１４上で、第１主軸１６の軸線方向前方に位置するガイドブッシュ３６の側方に退避して配置される。旋盤機台１４には、
第１刃物台２０を、旋盤機台１４上の直交３軸座標系において、第１主軸１６の回転軸線１６ａ（すなわち第１送り制御軸（Ｚ１軸））に直交する第２送り制御軸（Ｘ１軸と称する）に沿って直線移動させる第１刃物台駆動機構３８
（オ）「
制御装置１２は、入力部６２、表示部６４、演算制御部６６及びサーボ制御部６８を備える。
演算制御部６６は、記憶部を構成するＲＡＭ（ランダムアクセスメモリ）７０及びＲＯＭ（リードオンリーメモリ）７２と、処理部を構成するＣＰＵ（中央処理装置）７４とを有する。
サーボ制御部６８は、第１主軸移動制御部７６、第１主軸回転制御部７８、第１刃物台移動制御部８０、第２刃物台移動制御部８２、第２主軸移動制御部８４及び第２主軸回転制御部８６を備える。第１主軸移動制御部７６は、ＣＰＵ７４の指令に基づき、第１主軸駆動機構３０のＺ１軸駆動源３２を作動して、第１主軸台２８と共に第１主軸１６をＺ１軸移動させる。第１主軸回転制御部７８は、ＣＰＵ７４の指令に基づき、回転駆動源３４を作動して、第１主軸１６を第１主軸台２８内でＣ１軸回転させる。なお、旋削加工に際しての第１主軸１６の高速回転は、回転数等のデータに基づき、図示しない別の制御回路を介して制御される。」（第１１ページ第１６−４０行）
（カ）「上記制御系を構成する制御装置１２は、本発明に係る自動旋盤制御方法を遂行して、自動旋盤１０に本来備わっている多機能性を遺憾無く発揮させるとともに、棒材Ｗ、Ｗ′に対する一連の加工プログラムの実施時間を効果的に短縮するための、以下の特徴的構成を採用している。
すなわち、
入力部６２は、自動旋盤１０の第１及び第２主軸１６、１８並びに第１及び第２刃物台２０、２２に関して一連の加工プログラムで要求される複数の移動位置データの各々を、カム回転量の関数として移動位置を指示するカム基準データと、経過時間の関数として移動位置を指示する時間基準データとの、２種類の移動位置データのうちいずれかの形態で入力できる
また、
演算制御部６６のＣＰＵ７４は、入力部６２でカム基準データと時間基準データとのいずれかの形態で入力した複数の移動位置データの各々を、入力部６２で時系列的配置を指定した場合はその時系列的配置に従って、処理することができる。
ＣＰＵ７４は、第１及び第２主軸１６、１８並びに第１及び第２刃物台２０、２２の、一連の加工プログラムにおける相対的送り動作を制御する制御信号を生成する
入力部６２では、一連の加工プログラムによって実施される複数の工程のうち、カム回転量（例えばカム回転角度）を規定するための動作量を自動旋盤１０の任意の機械的動作要素から得ることができる工程や、工具２４、２６の刃先の磨耗や工具２４、２６の交換に伴う工具オフセットを指令しない工程について、要求される移動位置データをカム基準データの形態で入力することが有利である。また、そのような動作量を自動旋盤１０の機械的動作要素から得ることができない工程や、工具オフセットを指令する工程については、要求される移動位置データを時間基準データの形態で入力することが有利である。
この場合、
カム基準データは、自動旋盤１０の任意の機械的動作要素から得られた所定の動作量を、カム１回転に相当するものと定義して、第１及び第２主軸１６、１８並びに第１及び第２刃物台２０、２２のいずれかの移動位置を動作量に対応して連続的に指示するものとなる。
複数の工程のうち、動作量を得るための機械的動作要素が停止している工程や、工具オフセットを指令している工程においては、カム基準データの代わりに時間基準データを用いて、第１及び第２主軸１６、１８並びに第１及び第２刃物台２０、２２のいずれかの移動位置を経過時間に対応して連続的に指示することになる
（キ）「
制御装置１２の表示部６４は、入力部６２でカム基準データと時間基準データとのいずれかの形態で入力された複数の移動位置データの各々を、移動位置の軌跡（例えば工具経路）を表す変位線図の形態で表示することができる
（ク）「また、
ＣＰＵ７４は、入力部６２で入力されたカム基準データで指示される移動位置を、カム回転量に相当するパルス数の関数として処理することができる。
パルス列発生源は、自動旋盤１０の第１主軸１６の回転に対応したパルス列を発生する構成とすることができる。
この構成では、ＣＰＵ７４は、カム基準データで指示される移動位置を、エンコーダから取得したパルス列を用いて演算処理し、それに基づきサーボ制御部６８に移動指令を発する。それにより、各制御軸駆動機構３０、３８、４４、５４の各軸駆動源３２、４０、４２、４６、４８、５６、５８の動作が、カム基準データに基づいて制御される
（ケ）図２Ａには、カム基準データの形態で用意した移動位置データの一例を表示する変位線図（カム線図）の記載がされており、図２Ｂには、時間基準データの形態で用意した移動位置データの一例を表示する変位線図の記載がされている。
（コ）図３Ａには、図２Ａのカム基準データを表示する変位線図上で、図２Ｂの変位線図に表示する時間基準データを割り込ませる場所を指定した後のカム基準データの変位線図の記載がされており、図３Ｂには、カム基準データの変位線図上での割込み場所における移動位置Ｐ１とは無関係に配置した時間基準データを表示する変位線図が記載されており、図３Ｃには、カム基準データの変位線図上での割込み場所における移動位置Ｐ１に連続するように配置した時間基準データを表示する変位線図が記載されている。
（サ）図５Ａには、カム基準データの変位曲線を表示する画面上で、時間基準データを割り込ませる場所を、矢印等の画面表示により指示することが記載されており、図５Ｂには、時間基準データの変位曲線を表示する画面上で、カム基準データを割り込ませる場所を、矢印等の画面表示により指示することが記載されている。
（２）甲１発明
　そうすると、上記（ア）−（ク）の摘記事項及び（ケ）−（サ）の図面の記載を参酌すれば、甲１には、
「第１刃物台駆動機構によって駆動される第１刃物台を第１主軸の回転に対応したカム基準データによって指定の移動位置へ位置決め制御する制御信号を生成するＣＰＵを有する制御装置であって、
　カム回転量の関数として第１刃物台の位置を指示するカム基準データ、および、経過時間の関数として第１刃物台の位置を指示する時間基準データの少なくとも一方を受け付ける入力部、
　前記カム基準データまたは前記時間基準データに基づいて制御信号を生成するＣＰＵと、
　入力部により入力された複数の移動位置データの各々を変異線図の形態で表示させる表示部と、
　を備え、
　前記表示部が、カム基準データに基づく変異線図を表示している場合に、時間基準データを割り込ませる位置を指定することができ、割り込みを行った時間基準データを表示する変異線図を表示可能に構成され、
　前記表示部が、時間基準データに基づく変異線図を表示している場合に、カム基準データを割り込ませる位置を指定することができ、割り込みを行ったカム基準データを表示する変異線図を表示可能に構成されている
　制御装置。」（以下、「甲１発明」という。）が記載されている。
（３）甲２の記載事項
　甲２には、次の記載がある。
「【００３９】
　要するに、図３および図４の例においては、横軸を時間としているが、横軸を回転角度としてもよい。例えば、図３の横軸を時間に代えて回転角度で表した図は図５の様になる。
　時間をｔ［s］とし、ワークＷの回転角速度をω［rad/s］とすると、ワークＷの回転角度θ［rad］を、θ＝ω・ｔ  の式により表すことができる。ワークＷの回転速度をＳ[min-1]、周波数倍率をＩとすると、回転角速度ωは、ω＝２π×Ｓ／６０×Ｉ  の式により表すことができる。このため、回転角度θは、回転速度Ｓと時間ｔと周波数倍率Ｉとから求まる。
５　対比・判断
（１）請求項１に係る発明について
　ア．本件発明と甲１発明の対比
　請求項１の特許に係る発明（以下、「本件発明」という）と甲１発明とを対比する。
　甲１発明の「第１刃物台駆動機構」が、本件発明の「駆動装置」に相当することは明らかであり、甲１発明の「第１刃物台」は、駆動装置である第１刃物台駆動機構によって駆動されるため、本件発明の「被駆動装置」に相当する。
　甲１発明の「第１主軸」は、本件発明の「主軸」に相当する。
　甲１発明の「第１主軸の回転に対応したカム基準データによって指定の移動位置へ位置決め制御する制御信号を生成するＣＰＵを有する制御装置」は、主軸の所定の動作量をカム１回転に相当するものと定義し、ＣＰＵにより主軸と第１刃物台の相対的送り動作を制御する制御信号を生成するものであるから、本件発明の「回転軸である主軸の周期的な動作に対応する位置に位置決め制御するための制御指令を作成する制御データ作成装置」に相当する。
　甲１発明の「カム回転量の関数として第１刃物台の位置を指示するカム基準データ」は、本件発明の「前記主軸の１回転中における特定の回転角度または特定の回転位置と前記被駆動装置の位置との対応関係が指定された回転情報」に相当する。
　甲１発明の「経過時間の関数として第１刃物台の位置を指示する時間基準データ」は、「特定の経過時間と被駆動装置の位置との対応関係が指定された時間情報」という点で、本件発明の「前記主軸の１回転中における特定の経過時間と前記被駆動装置の位置との対応関係が指定された時間情報」と一致する。
　甲１発明の「前記カム基準データまたは前記時間基準データに基づいて制御信号を生成するＣＰＵ」は、本件発明の「前記回転情報または前記時間情報に基づいて前記制御指令を算出する演算部」に相当する。
　甲１発明の「入力部により入力された複数の移動位置データの各々を変異線図の形態で表示させる表示部」は、カム基準データあるいは時間基準データに基づく制御対象の移動位置の軌跡である変位線図を表示可能に構成されており、変位線図は実質的に被駆動装置の制御指令を示すものである上に、表示を行う以上、その表示を制御することは当然であるから、本件発明の「表示装置」及び「前記演算部が算出した前記制御指令を表示装置に表示させる表示制御部」に相当する。
　イ．一致点及び相違点
　本件発明と甲１発明とは、以下の一致点、相違点を有する。
一致点：  
　駆動装置によって駆動される被駆動装置を回転軸である主軸の周期的な動作に対応する位置に位置決め制御するための制御指令を作成する制御データ作成装置であって、
　前記主軸の１回転中における特定の回転角度または特定の回転位置と前記被駆動装置の位置との対応関係が指定された回転情報、および特定の経過時間と前記被駆動装置の位置との対応関係が指定された時間情報の少なくとも一方を受付ける入力部と、
　前記回転情報または前記時間情報に基づいて前記制御指令を算出する演算部と、
　前記演算部が算出した前記制御指令を表示装置に表示させる表示制御部と、
　を備える、
　ことを特徴とする制御データ作成装置。
相違点１：
　被駆動装置の位置と対応する時間情報が、本件発明は、「主軸の１回転中における特定の経過時間」であるのに対して、甲１発明は、「経過時間」であって、当該時間が、「
主軸の１回転における
相違点２：
　本願発明の表示装置は、回転情報を表示している場合に時間情報を表示する指示を受付けると、前記回転情報を前記時間情報に変換するとともに変換後の前記時間情報を前記表示装置に表示させ、かつ、前記時間情報を表示している場合に前記回転情報を表示する指示を受付けると、前記時間情報を前記回転情報に変換するとともに変換後の前記回転情報を前記表示装置に表示させるものであるのに対して、甲１発明の表示部はそのような構成を有さない点。
　ウ．相違点の判断
　以下、相違点１−２について検討する。
　（ア）相違点１について
　甲１発明の時間基準データは経過時間の関数として移動位置を指示する時間基準データであるが、甲１には
主軸の１回転中における
　むしろ、「複数の工程のうち、動作量を得るための機械的動作要素が停止している工程や、工具オフセットを指令している工程においては、カム基準データの代わりに時間基準データを用いて、主軸又は刃物台の移動位置を経過時間に対応して連続的に指示する」（甲１の第１２ページ第３１−３４行）との記載を参照すると、甲１発明の「時間基準データ」は、主軸が回転していない行程における時間であって、主軸の回転との関係を一義的に決めることができないものと解される。
　そして、甲１発明の「時間基準データ」が、主軸の回転との関係を一義的に決めることができないことから、主軸の回転位置を前提とする「カム基準データ」に「時間基準データ」を割り込ませる際に、割り込ませる場所（カムの回転量）を指定する必要が生じている（上記４（１）イ）。
　一方、甲２には、回転角度を回転速度と時間と周波数倍率から演算により求めることが開示されてはいるものの、上記のとおり、甲１の時間基準データは、動作量を得るための機械的動作要素（主軸）が停止している工程や、工具オフセットを指令している工程において、カム基準データの代わりに用いられるものであり、主軸の停止時には時間を回転角度に演算するために必要な回転速度が発生していないため演算自体を行うことができないものである。よって、甲１発明に基づいて、時間基準データを主軸の１回転中における経過時間に基づくものとすることは、当業者にとって容易になしえたことであるとはいえない。
　（イ）相違点２について
　甲１にはカム基準データの変位線図を表示する画面上で時間基準データを割り込ませる場所を矢印等の画面表示により指示すること、時間基準データの変位線図を表示する画面上でカム基準データを割り込ませる場所を矢印等の画面表示により指示することができること、割り込みを行った変異線図を表示することが記載されているが、カム基準データと時間基準データ間の表示の切り替えについては記載されておらず、図１５Ａ、図１５Ｂなどを参酌してみても、時間基準データまたはカム基準データを割り込ませる場所の指示によって、表示部にそれまで表示されていたカム基準データあるいは時間基準データを変換して時間基準データあるいはカム基準データとして表示することが記載も示唆もされていない。また、甲２の記載を参酌してみても、甲１発明において、表示部にそれまで表示されていたカム基準データあるいは時間基準データを変換して時間基準データあるいはカム基準データとして表示すること、また、少なくとも時間基準データをカム基準データに変換することが、当業者にとって容易になしえたことであるとはいえない。
　
　したがって、本件発明は、甲１発明及び甲２に記載された技術的事項に基いて、当業者が容易に想到し得るものではない。
　（ウ）異議申立人の主張について
　異議申立人は、甲１発明に甲２の演算部が回転情報を時間情報にまたは時間情報を回転情報に変換するという技術事項を適用するには動機付けがある旨の主張を行っている。しかしながら、上記相違点１、２についての検討において述べたとおり、甲１の時間基準データは、主軸の回転していない時間に用いられるものを含むものであり、本件発明の時間情報とは主軸の１回転中における経過時間と被駆動装置の位置との対応関係が指定されていない点で異なっていて、演算による変換も容易であるとはいえないため、かかる主張には理由がない。
（２）請求項２−７に係る発明について
　請求項２−７に係る発明は、本件発明を引用するものであって、本件発明の発明特定事項を全て含むものであるため、上記（１）に示した理由と同様の理由により、請求項２−７に係る発明は、甲１発明及び甲２に記載された事項に基いて当業者が容易になし得るものではない。
　
（３）請求項８及び９に係る発明について
　請求項８及び９に係る発明は、本件発明とカテゴリーの異なる「制御データ作成方法」及び「制御データ作成プログラム」に係る発明であるが、上記（１）イ．の相違点１に係る本件発明の「主軸の１回転中における特定の経過時間」と同じ発明特定事項を有する上に、相違点２に係る本件発明の「時間情報を表示する指示を受付ける」という発明特定事項や、「回転情報を表示する指示を受付ける」という発明特定事項と同じ発明特定事項を有するから、上記（１）に示した理由と同様の理由により、請求項８及び９に係る発明は、甲１発明及び甲２に記載された事項に基いて当業者が容易になし得るものではない。
６　むすび
　したがって、特許異議の申立ての理由及び証拠によっては、請求項１−９に係る特許を取り消すことはできない。
　また、他に請求項１−９に係る特許を取り消すべき理由を発見しない。
　よって、結論のとおり決定する。
　
【異議決定日】
令和２年６月１日（２０２０．６．１）